(57)【要約】【課題】撮像画像を保存するためのディレクトリのディレクトリ名を適切に決定できる撮像装置を提供する。【解決手段】光学系による像を撮像し、撮像した像に対応する画像データを出力する撮像部３と、記録媒体７内に所定のディレクトリ名のディレクトリを生成するディレクトリ生成部６と、ディレクトリ生成部により生成されたディレクトリ内に、撮像部３により出力された画像データを保存する画像保存部６と、を備えた撮像装置であって、ディレクトリ生成部６は、ディレクトリを生成する際に、週番号に対応する数字と、曜日に対応する数字とを組み合わせた数字をディレクトリ番号として決定し、ディレクトリのディレクトリ名を、ディレクトリ番号から始まる名前に決定することを特徴とする撮像装置。【選択図】  図１
2014164740.tif 000002
【特許請求の範囲】
【請求項１】
光学系による像を撮像し、撮像した像に対応する画像データを出力する撮像部と、
記録媒体内に所定のディレクトリ名のディレクトリを生成するディレクトリ生成部と、
前記ディレクトリ生成部により生成された前記ディレクトリ内に、前記撮像部により出力された画像データを保存する画像保存部と、を備えた撮像装置であって、
前記ディレクトリ生成部は、前記ディレクトリを生成する際に、週番号に対応する数字と、曜日に対応する数字とを組み合わせた数字をディレクトリ番号として決定し、前記ディレクトリのディレクトリ名を、前記ディレクトリ番号から始まる名前に決定することを特徴とする撮像装置。
【請求項２】
請求項１に記載の撮像装置において、
前記週番号に対応する数字は２桁であり、前記曜日に対応する数字は１桁であることを特徴とする撮像装置。
【請求項３】
請求項２に記載の撮像装置において、
前記ディレクトリ生成部は、前記週番号に対応する１０以上の２桁の数字に続けて、前記曜日に対応する１桁の数字を組み合わせた３桁の数字を、前記ディレクトリ番号として決定することを特徴とする撮像装置。
【請求項４】
請求項２に記載の撮像装置において、
前記ディレクトリ生成部は、前記曜日に対応する１桁の数字に続けて、前記週番号に対応する２桁の数字を組み合わせた３桁の数字を、前記ディレクトリ番号として決定することを特徴とする撮像装置。
【請求項５】
光学系による像を撮像し、撮像した像に対応する画像データを出力する撮像部と、
記録媒体内にディレクトリを生成するディレクトリ生成部と、
前記ディレクトリ生成部により生成された前記ディレクトリ内に、前記撮像部により出力された画像データを保存する画像保存部と、を備えた撮像装置であって、
前記ディレクトリ生成部は、前記ディレクトリを生成する際に、時分秒からなる時刻を表す数字のうちの時に対応する数字と、曜日に対応する数字とを組み合わせた数字をディレクトリ番号として決定し、前記ディレクトリのディレクトリ名を、前記ディレクトリ番号から始まる名前に決定することを特徴とする撮像装置。
【請求項６】
請求項１に記載の撮像装置において、
前記時に対応する数字は２桁であり、前記曜日に対応する数字は１桁であることを特徴とする撮像装置。
【請求項７】
請求項６に記載の撮像装置において、
前記ディレクトリ生成部は、前記曜日に対応する１桁の数字に続けて、前記時に対応する２桁の数字を組み合わせた３桁の数字を、前記ディレクトリ番号として決定することを特徴とする撮像装置。
【請求項８】
請求項１〜７のいずれかに記載の撮像装置において、
前記ディレクトリ生成部は、前記記録媒体が初期化された場合に、前記ディレクトリを生成することを特徴とする撮像装置。
【請求項９】
請求項１〜７のいずれかに記載の撮像装置において、
前記ディレクトリ生成部は、撮影者により所定の操作が行われた場合に、前記ディレクトリを生成することを特徴とする撮像装置。
【発明の詳細な説明】
【技術分野】
【０００１】
本発明は、撮像装置に関するものである。
【背景技術】
【０００２】
従来より、カメラファイルシステム規格であるＤＣＦ（Design rule of Camera File System）規格に準拠して、撮像画像を保存するディレクトリのディレクトリ名を、数字３文字からなるディレクトリ番号と英数字５文字からなる自由文字との８文字で構成する撮像装置が知られている。このような撮像装置において、撮影者が撮像画像を容易に整理・編集することができるように、ディレクトリが生成された日付を含むように、ディレクトリ名を設定する技術が知られている（特許文献１）。
【先行技術文献】
【特許文献】
【０００３】
【特許文献１】特開２００１−１０９６５１号公報
【発明の概要】
【発明が解決しようとする課題】
【０００４】
しかしながら、従来技術では、数字３文字からなるディレクトリ番号と比べて入力制限の少ない、英数字５文字からなる自由文字を日付の表示のために使用しているため、ディレクトリ名に日付以外の情報を付加することが困難であった。
【０００５】
本発明が解決しようとする課題は、撮像画像を保存するためのディレクトリのディレクトリ名を適切に決定できる撮像装置を提供することである。
【課題を解決するための手段】
【０００６】
本発明は、以下の解決手段によって上記課題を解決する。なお、以下においては、本発明の実施形態に対応する図面に対応する符号を付して説明するが、この符号は発明の理解を容易にするためだけのものであって発明を限定する趣旨ではない。
【０００７】
[１]本発明の第１の観点に係る撮像装置は、光学系による像を撮像し、撮像した像に対応する画像データを出力する撮像部（３）と、記録媒体（７）内に所定のディレクトリ名のディレクトリを生成するディレクトリ生成部（６）と、前記ディレクトリ生成部により生成された前記ディレクトリ内に、前記撮像部により出力された画像データを保存する画像保存部（６）と、を備えた撮像装置であって、前記ディレクトリ生成部は、前記ディレクトリを生成する際に、週番号に対応する数字と、曜日に対応する数字とを組み合わせた数字をディレクトリ番号として決定し、前記ディレクトリのディレクトリ名を、前記ディレクトリ番号から始まる名前に決定することを特徴とする。
【０００８】
［２］上記撮像装置に係る発明において、前記週番号に対応する数字は２桁であり、前記曜日に対応する数字は１桁であるように構成することができる。
［３］上記撮像装置に係る発明において、前記ディレクトリ生成部（６）は、前記週番号に対応する１０以上の２桁の数字に続けて、前記曜日に対応する１桁の数字を組み合わせた３桁の数字を、前記ディレクトリ番号として決定するように構成することができる。
【０００９】
［４］上記撮像装置に係る発明において、前記ディレクトリ生成部（６）は、前記曜日に対応する１桁の数字に続けて、前記週番号に対応する２桁の数字を組み合わせた３桁の数字を、前記ディレクトリ番号として決定するように構成することができる。
【００１０】
[５]本発明の第２の観点に係る撮像装置は、光学系による像を撮像し、撮像した像に対応する画像データを出力する撮像部（３）と、記録媒体（７）内にディレクトリを生成するディレクトリ生成部（６）と、前記ディレクトリ生成部により生成された前記ディレクトリ内に、前記撮像部により出力された画像データを保存する画像保存部（６）と、を備えた撮像装置であって、前記ディレクトリ生成部（６）は、前記ディレクトリを生成する際に、時分秒からなる時刻を表す数字のうちの時に対応する数字と、曜日に対応する数字とを組み合わせた数字をディレクトリ番号として決定し、前記ディレクトリのディレクトリ名を、前記ディレクトリ番号から始まる名前に決定することを特徴とする。
【００１１】
［６］上記撮像装置に係る発明において、前記時に対応する数字は２桁であり、前記曜日に対応する数字は１桁であるように構成することができる。
［７］上記撮像装置に係る発明において、前記ディレクトリ生成部（６）は、前記曜日に対応する１桁の数字に続けて、前記時に対応する２桁の数字を組み合わせた３桁の数字を、前記ディレクトリ番号として決定するように構成することができる。
【００１２】
［８］上記撮像装置に係る発明において、前記ディレクトリ生成部（６）は、前記記録媒体が初期化された場合に、前記ディレクトリを生成するように構成することができる。
【００１３】
［９］上記撮像装置に係る発明において、前記ディレクトリ生成部（６）は、撮影者により所定の操作が行われた場合に、前記ディレクトリを生成するように構成することができる。
【発明の効果】
【００１４】
本発明によれば、撮像画像を保存するためのディレクトリのディレクトリ名を適切に決定することができる。
【図面の簡単な説明】
【００１５】
【図１】図１は、本実施形態に係る電子カメラに対応するブロック図である。
【図２】図２は、ＤＣＦ規格に定義されたディレクト名を説明するための図である。
【図３】図３（Ａ）は、第１実施形態に係るディレクトリ名の決定方法を説明するための図であり、図３（Ｂ）は、第１実施形態において保存される画像データのパス名の一例を示す図である。
【図４】図４は、曜日と曜日番号との対応関係の一例を示す図である
【図５】図５は、第１実施形態に係るディレクトリ名の決定方法の他の例を説明するための図である。
【図６】図６は、第２実施形態に係るディレクトリ名の決定方法を説明するための図である。
【図７】図７は、第３実施形態に係るディレクトリ名の決定方法を説明するための図である。
【発明を実施するための形態】
【００１６】
≪第１実施形態≫
以下、本発明の実施形態を図面に基づいて説明する。
【００１７】
図１は、本実施形態に係る電子カメラ１００の要部構成に対応する図である。図１に示すように、電子カメラ１００は、撮像レンズ群１、光量調節部２、撮像素子３、Ａ／Ｄ変換部４、タイミングジェネレータ（ＴＧ）５、ＣＰＵ６、カードメモリ７、カードインタフェース（カードＩ／Ｆ）８、内蔵メモリ９、操作部１０、表示回路１１、表示部１２、レンズ駆動部１４および光量調節制御部１５から構成される。ＣＰＵ６、カードＩ／Ｆ８、内蔵メモリ９、操作部１０および表示回路１１は、バス１３を介して接続されており、互いに情報の授受が可能となっている。
【００１８】
撮影レンズ群１は、１枚または複数枚のレンズで構成され、固定焦点距離のレンズまたはズームレンズのような可変焦点距離のレンズを用いることができる。撮影レンズ群１には、当該撮影レンズ群１を通過した被写体像が撮像素子３の撮像面上に結像するように焦点位置を調節するフォーカスレンズが含まれている。このフォーカスレンズは、カメラ側の至近端から被写体側の無限端までの間を撮像素子３の光軸Ｌに沿って移動可能に設けられ、不図示のエンコーダによりその位置が検出されつつ、レンズ駆動部１４によりその位置が調節される。
【００１９】
光量調節部２は、絞り機構およびシャッター機構を備え、被写体像を撮像素子３で撮像させるために、被写体からの光束（光軸Ｌ１）を、シャッター速度で決まる時間（露光時間）の間、撮像素子３の受光面へ通す。なお、光量調節部２の絞り動作およびシャッター動作は、ＣＰＵ６の指令に基づいて、光量調節制御部１５により制御される。
【００２０】
撮像素子３は、被写体からの光軸Ｌ上であって、撮影レンズ群１の予定焦点面となる位置に固定されている。そして、撮像素子３は、ＴＧ５が発するタイミングパルスに応じて、撮像レンズ群１により撮像素子３の画素上に結像された被写体像を、アナログの電気信号（画素信号）に変換して出力する。被写体光に応じて撮像素子３から出力されたアナログの画素信号は、Ａ／Ｄ変換部４でデジタルの画素信号に変換され、ＣＰＵ６へ転送される。なお、撮像素子３は、複数の光電変換素子が二次元に配列された二次元ＣＣＤイメージセンサに限られず、ＭＯＳセンサまたはＣＩＤなどのデバイスからも構成できる。
【００２１】
ＣＰＵ６は、撮像素子３から画素信号を読み出して、読み出した画素信号に基づいて画像データを生成する他、画像データの補正、焦点調節状態の検出、および絞り調節状態の検出など、電子カメラ１００全体の制御を司る。
【００２２】
カードＩ／Ｆ８には、カードメモリ７が着脱可能に装着される。このカードメモリ内に、ＣＰＵ６によりディレクトリが生成され、画像の撮像が行われた際に、内蔵メモリ９に一時的に記憶された画像データが、ＪＰＥＧ形式またはＹＵＶ形式などの圧縮形式に変換された後、カードメモリ７内のディレクトリに保存されることとなる。なお、画像データを保存するためのディレクトリの生成方法については後述する。
【００２３】
内蔵メモリ９には、ＣＰＵ６により生成された画像データが一時的に記憶される他、ＣＰＵ６が電子カメラ１００を制御するための制御プログラムや、電子カメラ１００を制御するために必要なテーブルなどが記憶されている。内蔵メモリ９に記憶されている画像データ、制御プログラム、およびテーブルは、バス１３を介して、ＣＰＵ６から適時参照される。なお、内蔵メモリ９として、半導体メモリのうち任意の不揮発性メモリを適宜選択して用いることができる。
【００２４】
操作部１０は、撮影者による操作内容に応じた操作信号をＣＰＵ６に出力する。操作部１０には、例えば、電源ボタンやレリーズボタンが含まれる。なお、これら操作部１０に含まれる各種ボタンは、表示部１２の画面に表示されるタッチパネル形式のボタンであってもよい。
【００２５】
表示部１２は、表示回路１１を介して、撮像素子３が撮像したスルー画などの動画や静止画像などを表示部１２が備える表示モニタ上に表示する。なお、表示部１２として、液晶モニタなどを適宜選択して用いることができる。
【００２６】
次いで、画像データを保存するためのディレクトリの生成方法について説明する。
【００２７】
本実施形態では、ＣＰＵ６により、画像データを生成するためのディレクトリ（以下、対象ディレクトリともいう。）が、記録媒体であるカードメモリ７内に生成される。対象ディレクトリの生成タイミングは、特に限定されないが、たとえば、ＣＰＵ６は、カードメモリ７がカードＩ／Ｆ８に挿入されたタイミングや、カードメモリ７が初期化されたタイミングにおいて対象ディレクトリを生成することができる。
【００２８】
また第１実施形態において、ＣＰＵ６は、カメラファイルシステム規格であるＤＣＦ（Design rule of Camera File System）規格に準拠して、対象ディレクトリを生成する。このＤＣＦ規格には、ディレクトリ構造とディレクトリ名とが定義されている。ＣＰＵ６は、ＤＣＦ規格に定義されたディレクトリ構造に従って、ルートディレクトリの直下の“ＤＣＩＭ” というディレクトリ内に、画像データを保存するための対象ディレクトリを生成する。
【００２９】
また、ＣＰＵ６は、ＤＣＦ規格で定義されたディレクトリ名に準拠して、対象ディレクトリのディレクトリ名を決定する。ここで、図２は、ＤＣＦ規格に定義されたディレクト名を説明するための図である。図２に示すように、ＤＣＦ規格では、ディレクトリ名が８文字の英数字から構成されており、具体的には、ディレクトリ番号と言われる“１００”から“９９９”までの３桁の数字に続けて、自由文字と言われる５文字の英数字を組み合わせた、合計８文字の英数字から構成される。
【００３０】
このようなＤＣＦ規格の下、第１実施形態に係るＣＰＵ６は、以下に説明するように、対象ディレクトリのディレクトリ名を決定する。ここで、図３（Ａ）は、第１実施形態に係るディレクトリ名の決定方法を説明するための図である。まず、ＣＰＵ６は、１年における５３週にそれぞれ対応する「１」から「５３」までの週番号のうち、対象ディレクトリが生成される週に対応する週番号を決定する。たとえば、図３（Ａ）に示すように、対象ディレクトリが生成される日付が２０１２年１月１日の日曜日である場面において、ＣＰＵ６は、２０１２年１月１日が１年間における５３週のうち１番目の週であるため、週番号を「１」として決定する。
【００３１】
また、ＣＰＵ６は、日曜日から土曜日までの曜日のうち、対象ディレクトリが生成される曜日に対応する曜日番号を決定する。たとえば、本実施形態では、図４に示すように、日曜日から土曜日までの曜日が１から７までの番号にそれぞれ対応しており、ＣＰＵ６は、図３（Ａ）に示すように、対象ディレクトリが生成される日付が２０１２年１月１日の日曜日である場合には、日曜日に対応する曜日番号「１」を決定する。なお、図４は、曜日と曜日番号との対応関係の一例を示す図であり、このような対応関係は、たとえば内蔵メモリ９に記憶されている。
【００３２】
さらに、ＣＰＵ６は、図３（Ａ）に示すように、対象ディレクトリが生成される週に対応する週番号に続けて、対象ディレクトリが生成される曜日に対応する曜日番号を組み合わせることで、ディレクトリ番号を決定する。ここで、ＤＣＦ規格では、ディレクトリ番号に“０００”から“０９９”までの数字を使用することが禁止されている。そのため、本実施形態において、ＣＰＵ６は、週番号に１０を加えることで、対象ディレクトリが生成された週に対応する２桁の数字をとして決定する。
【００３３】
たとえば、図３（Ａ）に示す場面においては、２０１２年１月１日が１年間における５３週のうち１番目の週であるため、ＣＰＵ６は、週番号を「１」として決定し、この週番号「１」に１０を加えた２桁の数字「１１」を、対象ディレクトリが生成される２桁の数字として決定する。
【００３４】
そして、図３（Ａ）に示す場面例において、ＣＰＵ６は、対象ディレクトリが生成される週に対応する２桁の数字「１１」に続けて、対象ディレクトリが生成される曜日に対応する１桁の数字「１」を組み合わせることで、３桁の数字「１１１」からなるディレクトリ番号を生成する。
【００３５】
このように、第１実施形態で生成されるディレクトリ番号は、対象ディレクトリが生成された週に対応する２桁の数字と、対象ディレクトリが生成された曜日に対応する１桁の数字で構成されるため、撮影者はディレクトリ番号から対象ディレクトリが生成された日付を特定することが可能となる。
【００３６】
また、本実施形態においては、ディレクトリ番号により日付を表示できるため、自由文字である５文字の英数字については、ディレクトリ名の日付以外の情報を付加にするために使用できる。たとえば、図３（Ａ）に示す場面例において、ＣＰＵ６は、英数字５文字からなる自由文字を、メーカー名やブランド名である「ＮＩＫＯＮ」の５文字に決定する。
【００３７】
このように、ＣＰＵ６は、対象ディレクトリのディレクトリ名を、日付に対応するディレクトリ番号に続けて、メーカー名またはブランド名などに対応する自由文字を組み合わせた、合計８文字の名前に決定する。たとえば、図３（Ａ）に示す例においては、２０１２年１月１日の日付に対応するディレクトリ番号「１１１」と、メーカー名またはブランド名に対応する自由文字「ＮＩＫＯＮ」とを組み合わせた、合計８文字の「１１１ＮＩＫＯＮ」を、対象ディレクトリのディレクトリ名として決定する。
【００３８】
なお、対象ディレクトリは、ルートディレクトリの直下の“ＤＣＩＭ”ディレクトリ内に生成されるため、たとえば図３（Ａ）に示す場面において生成された対象ディレクトリ「１１１ＮＩＫＯＮ」のパス名は、「￥ＤＣＩＭ￥１１１ＮＩＫＯＮ」となり、この対象ディレクトリ内に保存される画像データ（たとえば「ＤＳＣ００００１．ＪＰＧ」）のパス名は、図３（Ｂ）に示すように、「￥ＤＣＩＭ￥１１１ＮＩＫＯＮ￥ＤＳＣ００００１．ＪＰＧ」となる。なお、図３（Ｂ）は対象ディレクトリ内に保存される画像データのパス名の一例を示す図である。
【００３９】
また、たとえば図５に示す場面例のように、対象ディレクトリが生成される日が２０１２年１０月１０日の水曜日である場合には、２０１２年１０月１０日が、１年における５３週のうち「４１」番目の週に該当するため、ＣＰＵ６は、「４１」に１０を加算した「５１」を、対象ディレクトリが生成される週に対応する２桁の数字として算出する。また、２０１２年１０月１０日は水曜日であるため、ＣＰＵ６は、水曜日に対応する曜日番号「４」を、曜日に対応する１桁の数字として決定する。そして、ＣＰＵ６は、週に対応する２桁の数字「５１」に続けて、曜日に対応する１桁の数字「４」を組み合わせた３桁の数字「５１４」を、ディレクトリ番号として決定する。さらに、ＣＰＵ６は、ディレクトリ番号「５１４」に続けて、メーカー名またはブランド名に対応する「ＮＩＫＯＮ」の５文字からなる自由文字を組み合わせることで、対象ディレクトリのディレクトリ名を「５１４ＮＩＫＯＮ」という名前に決定する。なお、図５は、第１実施形態に係るディレクトリ名の設定方法の他の例を説明するための図である。
【００４０】
以上のように、第１実施形態では、対象ディレクトリのディレクトリ名を決定する際に、対象ディレクトリが生成される週に対応する２桁の数字に続けて、対象ディレクトリが生成される曜日に対応する１桁の数字を組み合わせることで、日付に対応する３桁の数字からなるディレクトリ番号を決定する。これにより、第１実施形態では、３桁の数字からなるディレクトリ番号により対象ディレクトリが生成された日付を表示することで、撮影者がディレクトリ番号から対象ディレクトリが生成された日付を認識することができる。その結果、撮影した画像データを撮影年月日などで整理して保存するために、撮影者が、撮影年月日を示すディレクトリを新たに作成し、撮影した画像データを新たに作成したディレクトリ内に移動させる手間を省略することができ、画像データの整理や編集において撮影者にかかる負担を軽減することができる。また、第１実施形態では、ディレクトリ番号が対象ディレクトリが生成される日付に対応しており、対象ディレクトリが生成された日付が１月１日の場合に、ディレクトリ番号が最も小さくなり、対象ディレクトリが生成された日付が１２月３１日の場合に、ディレクトリ番号が最も大きくなるため、対象ディレクトリのディレクトリ名を日付順に並び替えることができ、撮影者に、撮影者が所望する画像データがどのディレクトリに
【００４１】
さらに、本実施形態では、対象ディレクトリが生成された日付を３桁のディレクトリ番号で表示するができるため、５文字の英数字からなる自由文字を、メーカー名やブランド名などの付加情報を表示するために使用することができる。これにより、画像データの整理や編集において撮影者にかかる負担をさらに軽減することができる。
【００４２】
≪第２実施形態≫
次に、本発明の第２実施形態を図面に基づいて説明する。第２実施形態では、図１に示すカメラ１００において、図６に示すように、対象ディレクトリのディレクトリ名を決定すること以外は、第１実施形態と同様である。以下において、図６を参照して、第２実施形態に係るディレクトリ名の決定方法について説明する。なお、図６は、第２実施形態に係るディレクトリ名の決定方法を説明するための図である。
【００４３】
第２実施形態では、ＣＰＵ６により、対象ディレクトリが生成される曜日に対応する１桁の数字に続けて、対象ディレクトリが生成される週に対応する２桁の数字を組み合わせることで、３桁のディレクトリ番号が決定される。たとえば、図６に示すように、対象ディレクトリが２０１２年１月１日の日曜日に生成される場面において、ＣＰＵ６は、日曜日に対応する曜日番号「１」を、対象ディレクトリが生成される曜日に対応する１桁の数字として決定する。また、ＣＰＵ６は、２０１２年１月１日に対応する週番号「１」を、対象ディレクトリが生成される週に対応する２桁の数字で決定する。ここで、週番号が１桁の数字の場合、ＣＰＵ６は、週番号「１」の前に０を加えて、対象ディレクトリが生成される週に対応する２桁の数字「０１」を決定する。
【００４４】
そして、ＣＰＵ６は、図６に示すように、対象ディレクトリが生成される日付が２０１２年１月１日の日曜日である場合に、対象ディレクトリが生成される曜日に対応する１桁の数字「１」に続けて、対象ディレクトリが生成される週に対応する２桁の数字「０１」を組み合わせて、３桁のディレクトリ番号「１０１」を決定する。
【００４５】
さらに、ＣＰＵ６は、英数字５文字からなる自由文字を、メーカー名やブランド名などの日付以外の付加情報を示す文字に決定する。これにより、たとえば図６に示す例では、日付に対応するディレクトリ番号「１０１」に、メーカー名やブランド名に対応する自由文字「ＮＩＫＯＮ」を組み合わせた、「１０１ＮＩＫＯＮ」という８文字のディレクトリ名が決定される。
【００４６】
以上のように、第２実施形態では、対象ディレクトリのディレクトリ名を決定する際に、対象ディレクトリが生成される曜日に対応する１桁の数字に続けて、対象ディレクトリが生成される週に対応する２桁の数字を組み合わせることで、日付に対応する３桁の数字からなるディレクトリ番号を決定する。このように、第２実施形態でも、３桁の数字からなるディレクトリ番号により対象ディレクトリが生成された日付を表示することで、撮影者がディレクトリ番号から対象ディレクトリが生成された日付を認識することができる。また、第２実施形態では、対象ディレクトリが生成された週に対応する２桁の数字に、ディレクトリ番号が“０００”から“０９９”までの数字となることを回避するための「１０」を加えることなく、対象ディレクトリが生成された週に対応する２桁の数字を用いることができるため、撮影者が、ディレクトリ名から対象ディレクトリが生成された日付を認識し易いという効果を奏することができる。
【００４７】
≪第３実施形態≫
次に、本発明の第３実施形態を図面に基づいて説明する。第３実施形態では、図１に示すカメラ１００において、図７に示すように、対象ディレクトリのディレクトリ名を決定すること以外は、第１実施形態と同様である。以下において、図７を参照して、第３実施形態に係るディレクトリ名の決定方法について説明する。なお、図７は、第３実施形態に係るディレクトリ名の決定方法を説明するための図である。
【００４８】
第３実施形態では、ＣＰＵ６により、以下のように、対象ディレクトリのディレクトリ名が決定される。具体的には、ＣＰＵ６は、曜日に対応する１桁の数字に続けて、時分秒からなる２４時間制の時刻を表す数字のうち時に対応する２桁の数字（たとえば、０時から２３時に対応する「００」から「２３」までの２桁の数字）を組み合わせることで、３桁の数字からなるディレクト番号を決定する。
【００４９】
たとえば、図７に示すように、対象ディレクトリが月曜日の１３：３０に生成される場面例において、ＣＰＵ６は、月曜日に対応する曜日番号「２」を、対象ディレクトリが生成される曜日に対応する１桁の数字として決定するとともに、時刻１３：３０を表す数字のうち時に対応する「１３」を、対象ディレクトリが生成される時に対応する２桁の数字として決定する。そして、ＣＰＵ６は、対象ディレクトリが生成される曜日に対応する１桁の数字「２」に続けて、対象ディレクトリが生成される時に対応する２桁の数字「１３」を組み合わせることで、対象ディレクトリが生成される日付に対応する３桁のディレクトリ番号「２１３」を決定する。
【００５０】
さらに、ＣＰＵ６は、英数字５文字からなる自由文字を、メーカー名やブランド名などの日付以外の付加情報を示す文字に決定する。これにより、たとえば図７に示す例では、日付に対応するディレクトリ番号「２１３」に、メーカー名やブランド名に対応する自由文字「ＮＩＫＯＮ」を組み合わせた、「２１３ＮＩＫＯＮ」という８文字のディレクトリ名が決定される。
【００５１】
以上のように、第３実施形態では、対象ディレクトリのディレクトリ名を決定する際に、対象ディレクトリが生成される曜日に対応する１桁の数字に続けて、対象ディレクトリが生成される時刻を表す数字のうち時に対応する２桁の数字を組み合わせることで、対象ディレクトリが生成される曜日および時刻に対応する３桁の数字からなるディレクトリ番号を決定する。これにより、第３実施形態では、３桁の数字からなるディレクトリ番号が、対象ディレクトリが生成された曜日および時刻を表示することとなるため、撮影者がディレクトリ番号から対象ディレクトリが生成された曜日および時刻を認識することができる。その結果、画像データの整理や編集において撮影者にかかる負担を軽減することができる。  
【００５２】
特に、第３実施形態では、撮影者が写真を撮影する枚数が多い場合などでも、撮影時間ごとに、撮影時間に対応するディレクト名の対象ディレクトリを生成することができるため、撮影者による画像の整理・編集を容易にすることができる。
【００５３】
以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００５４】
たとえば、上述した実施形態に加えて、カメラ１００で撮像した画像データをパソコンに取り込む場合に、パソコンにより、カードメモリ７内に生成された対象ディレクトリのディレクトリ名を認識し、認識したディレクトリ名を撮影者がより理解し易いディレクトリ名に変換し、パソコンのメモリ内に対象ディレクトリを複製・移動させる構成としてもよい。
【００５５】
また、上述した実施形態では、図４に示すように、日曜日から土曜日までの曜日を１から７までの番号にそれぞれ対応させた構成を例示したが、曜日番号は１桁の数字であれば、曜日と曜日番号との対応関係は図４に示す例に限定されない。すなわち、１から９の数字をどの曜日を割り当ててもよい。
【００５６】
さらに、上述した実施形態では、カードメモリ７がカードＩ／Ｆ８に挿入されたタイミングや、カードメモリ７の初期化が行われたタイミングに、カードメモリ７内に対象ディレクトリを生成する構成を例示したが、対象ディレクトリが生成されるタイミングは上記のタイミングに限定されず、たとえば、撮影者により所定回数の撮影が行われた度に（たとえば５００枚ごとに）、対象ディレクトリを新たに生成する構成としてもよい。あるいは、所定時間が経過する度に（たとえば、日付や時刻のうち時が変わる度）、対象ディレクトリを新たに生成する構成としてもよい。また、操作部１０に、対象ディレクトリの生成タイミングを切り替えるためのスイッチを備え、撮影者がこのスイッチを操作することで、対象ディレクトリの生成タイミングを切り替え可能な構成としてもよい。
【００５７】
加えて、上述した第１実施形態から第３実施形態に係るディレクトリ名の決定方法を、撮影者が選択できる構成としてもよい。たとえば、操作部１０に、ディレクトリ名の決定方法を選択可能なスイッチを備え、撮影者がこのスイッチを操作することで、ディレクトリ名の決定方法を、上述した第１実施形態から第３実施形態に係る決定方法の中から選択可能な構成とすることができる。
【００５８】
また、上述した実施形態では、外部記録媒体であるカードメモリ７内に対象ディレクトリを生成する構成を例示したが、これに限定されず、たとえば、カメラ１００に内蔵した画像データ保存用のメモリ９に対象ディレクトリを生成する構成としてもよい。
【００５９】
さらに、上述した第１実施形態では、ディレクトリ番号が“０００”から“０９９”の番号となることを回避するために、週番号に対応する２桁の数字に「１０」を加えることで、対象ディレクトリが生成される週に対応する２桁の数字を決定する構成を例示したが、この構成に限定されず、たとえば、「１」から「５３」までの数字を週番号として用いる場合には、「９」から「４６」までのいずれかの数字を週番号に加算することで、対象ディレクトリが生成される週に対応する２桁の数字を決定する構成としてもよい。この場合、対象ディレクトリが生成される週に対応する２桁の数字を“１０”から“９９”までの数字とすることができるため、曜日に対応する１桁の数字を組み合わせた場合に、ディレクトリ番号を“１００”から“９９９”までの番号とすることができる。
【００６０】
また、上述した第３実施形態では、対象ディレクトリが生成される曜日に対応する１桁の数字に続けて、対象ディレクトリが生成される時刻を表す数字のうち時に対応する２桁の数字を組み合わせることで、対象ディレクトリが生成される曜日および時刻を示す３桁の数字からなるディレクトリ番号を決定する構成を例示したが、たとえば、対象ディレクトリが生成される時刻を表す数字のうち時に対応する２桁の数字に続けて、対象ディレクトリが生成される曜日に対応する１桁の数字を組み合わせることで、対象ディレクトリが生成される曜日および時刻に対応する３桁の数字からなるディレクトリ番号を決定する構成としてもよい。なお、この場合に、ディレクトリ番号が“０００”から“０９９”となることを回避するために、たとえば、対象ディレクトリが生成される時を示す数字に１０を加えることで、対象ディレクトリが生成される時に対応する２桁の数字を算出する構成とすることができる。
【００６１】
たとえば、図７に示すように、対象ディレクトリが月曜日の１３：３０に生成される場面では、時刻１３：３０を表す数字のうち時に対応する「１３」に１０を加えた「２３」を、対象ディレクトリが生成される時に対応する２桁の数字として決定し、月曜日に対応する曜日番号「２」を、対象ディレクトリが生成される曜日に対応する１桁の数字として決定する。そして、対象ディレクトリが生成される時に対応する２桁の数字「２３」に続けて、対象ディレクトリが生成される曜日に対応する１桁の数字「２」を組み合わせることで、対象ディレクトリが生成される日付に対応する３桁のディレクトリ番号「２３２」を決定する構成とすることができる。
【００６２】
なお、本実施形態に係る電子カメラ１００は、特に限定されず、例えば、一眼レフデジタルカメラ、一眼ミラーレスカメラ、デジタルコンパクトカメラ、デジタルビデオカメラ、携帯電話用のカメラなどのその他の光学機器に本発明を適用してもよい。
【符号の説明】
【００６３】
１００…電子カメラ
１…撮像レンズ群
２…光量調節部
３…撮像素子
４…Ａ／Ｄ変換部
５…タイミングジェネレータ（ＴＧ）
６…ＣＰＵ
７…カードメモリ
８…カードインタフェース（カードＩ／Ｆ）
９…内蔵メモリ
１０…操作部
１１…表示回路
１２…表示部
１３…バス
１４…レンズ駆動部
１５…光量調節制御部
【図１】
2014164740.tif 000003
【図２】
2014164740.tif 000004
【図３】
2014164740.tif 000005
【図４】
2014164740.tif 000006
【図５】
2014164740.tif 000007
【図６】
2014164740.tif 000008
【図７】
2014164740.tif 000009